(57)【要約】【課題】本発明は、カバーを取り外さなくても回路基板の特定領域を透視することが可能な表示装置を提供する。【解決手段】回路基板４０とこの回路基板４０の観察者側を向く第１の面側に配置され所定情報を表示する表示器２０と回路基板４０の第２の面側を覆うカバー５０を備えた表示装置において、カバー５０に回路基板４０の特定領域を透視可能な肉薄部からなる透視部を設ける。【選択図】  図２
2009014391.tif 000002
【特許請求の範囲】
【請求項１】
回路基板と、この回路基板の観察者側を向く第１の面側に配置され所定情報を表示する表示器と、前記回路基板の前記第１の面とは反対側となる第２の面側を覆うカバーとを備えた表示装置において、前記カバーに前記回路基板の特定領域を透視可能な肉薄部からなる透視部を設けたことを特徴とする表示装置。
【請求項２】
前記表示器が前記回路基板と電気接続されるリード端子を有し、前記透視部が前記特定領域として前記リード端子と前記回路基板との接続箇所に対応する部位に設けられることを特徴とする請求項1記載の表示装置。
【発明の詳細な説明】
【技術分野】
【０００１】
本発明は、車両に搭載される表示装置に関し、特に回路基板の特定領域を透視可能に設けた表示装置に関するものである。
【背景技術】
【０００２】
この種の表示装置としては、特許文献1に開示されたものがある。当該特許文献１記載の表示装置は、回路基板と、この回路基板の観察者側を向く第１の面側に配置され所定情報を表示する表示器と、回路基板の第１の面とは反対側となる第２の面側を覆うカバーとを備えている。表示器としては液晶パネル等の電子式表示パネルや指針式アナログメータが適用されている。
【０００３】
ところで、カバーは回路基板を湿気や塵埃、物理的損傷等から保護する目的で採用され、着色（不透明）もしくは無着色の合成樹脂からなる。なお無着色の合成樹脂から形成した場合でも金型加工上の理由から表面に細かな凹凸が形成されるため、すりガラスのような半透明性を有し、透明性は高くない。
【特許文献１】特開２００５−３２６２２４号公報
【発明の開示】
【発明が解決しようとする課題】
【０００４】
しかしながら、前記特許文献１記載の表示装置は、回路基板の全体を覆うものであるため、一旦、カバーを装着してしまうと、回路基板を透視することが不可能もしくは困難である。この為例えば表示器が回路基板と半田付けもしくはコネクタ接続されるリード端子を有する場合、カバーを取り外さないと、リード端子と回路基板とが確実に接続されているか否か確認することが困難であり、確認作業に手間が掛かるという問題がある。なおカバーの一部に孔をあけることも考えられるが、回路基板の保護の観点から好ましいとは言えない。
【０００５】
本発明は、この点に鑑みてなされたもので、カバーを取り外さなくても回路基板の特定領域を透視することが可能な表示装置を提供するものである。
【課題を解決するための手段】
【０００６】
本発明は、前記目的を達成するため、回路基板と、この回路基板の観察者側を向く第１の面側に配置され所定情報を表示する表示器と、前記回路基板の前記第１の面とは反対側となる第２の面側を覆うカバーとを備えた表示装置であって、前記カバーに前記回路基板の特定領域を透視可能な肉薄部からなる透視部を設けたことを特徴とする。
【０００７】
また本発明は、前記目的を達成するため、前記表示器が前記回路基板と電気接続されるリード端子を有し、前記透視部が前記特定領域として前記リード端子と前記回路基板との接続箇所に対応する部位に設けられることを特徴とする。
【発明の効果】
【０００８】
請求項１記載の発明によれば、肉薄部からなる透視部を通じて回路基板の特定領域を透視できるため、カバーを取り外さなくても回路基板の特定領域を透視することができる。請求項２記載の発明によれば、特定領域としてリード端子と回路基板との接続箇所を透視できる。
【発明を実施するための最良の形態】
【０００９】
以下、本発明実施形態を添付の図面に基づいて説明する。図１は本発明の一実施形態による表示装置の正面図。図２は図１のＡ-Ａ断面図である。図1、２において、本実施形態による表示装置は、透視パネル１と、見返し板１０と、表示器２０と、ケース３０と、回路基板４０と、カバー５０から主に構成されている。
【００１０】
透視パネル１は、透光性合成樹脂からなり、表示器２０を透視できるように手前側を覆っている。
【００１１】
見返し板１０は、不透光性合成樹脂からなり、表示器２０の所要部を覆っている。
【００１２】
表示器２０は、指針式計器６０と液晶表示器７０とから構成される。
【００１３】
指針式計器６０は、表示板６１と、指針６２と、駆動源６３と、光源６４とから構成されている。
【００１４】
表示板６１は、透光性合成樹脂板にスクリーン印刷を施すことにより、背景となる例えば黒色の地部６１ａと、速度等を示す目盛や数字等の指標部６１ｂとを設けてなる周知な印刷板からなり、この場合、指標部６１ｂは、透光性インクを用いて光透光性を有するように設けられている。
【００１５】
指針６２は、透光性合成樹脂からなる指示部６２ａと、この指示部６２ａの回転中心領域所要部を覆う指針カバー６２ｂとで構成され、駆動源６３の後述する指針軸に固定され、計測量に応じて指標部６１ｂを指示する。
【００１６】
駆動源６３は、例えばステッピングモータを適用でき、指針６２と連結される指針軸６３ａを有している。また駆動源６３は、その本体部が回路基板４０の背面側（後述する第２の面側）に位置し、指針軸６３ａが回路基板４０を貫通して前方側（後述する第１の面側）に延びている。
【００１７】
光源６４は、例えばチップ型の発光ダイオードを適用でき、指針６２及び指標部６１ｂを照明できるように、回路基板４０の前記第１の面側に複数個配置されている。なおこの場合、指針６２を照明する光源６４は、回路基板４０の指針軸６３ａを通す軸孔の周囲に複数個配置されている。
【００１８】
液晶表示器７０は、セル７１と、セルケース７２と、光源７３とから構成されている。
【００１９】
セル７１は、相対向する二枚のガラス基板内に液晶分子を封入してなり、その一辺に複数のリード端子７４を備えている。
【００２０】
リード端子７４は、導電性金属材料を適用でき、セル７１の図示しない電極に導通接続される第１の接続部７５と、この接続部７５からL字状に略９０度屈曲し、回路基板４０に向けて伸び、後述するコネクタに挿入接続される第２の接続部７６とを備えている。
【００２１】
セルケース７２は、例えば乳白色の合成樹脂材料を適用でき、回路基板４０上に位置してセルケース７２及びリード端子７４を支持する。
【００２２】
光源７３は、例えばチップ型の発光ダイオードを適用でき、セル７１を背後から照明できるように、セルケース７２内にあって、回路基板４０の前記第１の面側に配置されている。
【００２３】
ケース３０は、例えば乳白色の合成樹脂からなり、仕切り壁によって内部を区画することで、指針６２を照明する指針照明室Ｒ１と、指標部６１ｂを照明する表示板照明室Ｒ２とがそれぞれ設けられている。
【００２４】
回路基板４０は、ガラスエポシキ樹脂からなる硬質回路基板を適用でき、観察者側（図２中、上側）を向く第１の面４１と、第１の面４１とは反対側を向く第２の面４２とを有し、第２の面４２側に駆動源６３の本体部が搭載されると共に、第1の面４１には、各光源６４、７３の他、リード端子７４の第２の接続部７６に対応する箇所にコネクタ４３が搭載されている。
【００２５】
コネクタ４３は、合成樹脂製のハウジング４３ａと、このハウジング４３ａ内に配置される接続端子４３ｂとからなり、ハウジング４３ａには、リード端子７４の第２の接続部７６を挿入する第１の挿入部４３ｃが形成され、この第１の挿入部４３ｃにリード端子７４の第２の挿入部７６を挿入することにより、第２の接続部７６と接続端子４３ｂとが接触し、導通接続が達成される。
【００２６】
また第１の挿入部４３ｃに対応する回路基板４０箇所には、第１の挿入部４３ｃに連通する第２の挿入部４４が形成され、組み付け（挿入接続）完了状態においては、この第２の挿入部４４を通じてリード端子７４が回路基板４０の第２の面４２側に通道し、その先端がカバー５０側に突出するようになっている。
【００２７】
このようにリード端子７４の先端が回路基板４０の第２の面４２側に貫通することで、リード端子７４の全てがコネクタ４３と確実に挿入接続されたか否かを確認することができる。
【００２８】
なお回路基板４０には図示しない回路パターンが形成され、この回路パターンに各光源６４，７３、駆動源６３、コネクタ４３の接続端子４３ｂ等が例えば半田付けにより導通接続されている。
【００２９】
カバー５０は、例えばポリプロピレン等、無着色の合成樹脂からなり、回路基板４０の第２の面４２側を覆うものである。
【００３０】
このカバー５０の特定領域となる、リード端子７４とコネクタ４３との接続箇所（リード端子７４とコネクタ４３とが正規に挿入接続された場合、リード端子７４が回路基板４０から突出する第２の挿入部４４箇所）には、透視部５１が形成されている。
【００３１】
この透視部５１は、カバー５０の厚みをその特定領域のみ肉薄に形成したもので、このように肉薄の透視部５１を形成したことにより、カバー５０を取り外すことなく、リード端子７４の第２の挿入部４４からの突出状態を確認することができる。なおこの場合、すべてのリード端子７４が第２の挿入部４４から突出していれば、リード端子７４がコネクタ４３に対して正規接続されたものとみなすことができる。
【００３２】
なお透視部５１の厚みや形状は、リード端子７４の第２の挿入部４４からの突出状態を確認できれば任意である。
【００３３】
以上のように、本実施形態では、回路基板４０と、この回路基板４０の観察者側を向く第１の面４１側に配置され所定情報を表示する表示器２０と、前記回路基板４０の前記第１の面４１とは反対側となる第２の面４２側を覆うカバー５０とを備えた表示装置において、前記カバー５０に前記回路基板４０の特定領域を透視可能な肉薄部からなる透視部５１を設けたことを特徴とする表示装置により、カバー５０を取り外すことなく、リード端子７４の第２の挿入部４４からの突出状態（リード端子７４の回路基板４０との接続状態）を透視確認することができ、作業性を向上させることができる。
【００３４】
また本実施形態では、前記表示器２０が前記回路基板４０と電気接続されるリード端子７４を有し、前記透視部５１が前記特定領域として前記リード端子７４と前記回路基板４０との接続箇所に対応する部位に設けられることにより、特定領域としてリード端子７４と回路基板４０との接続箇所を透視確認することができる。
【００３５】
なお本実施形態では、リード端子７４がコネクタ４３を介して回路基板４０との接続される例を示したが、リード端子７４と回路基板４０とを直接半田付け接続する場合は、リード端子７４の半田付け箇所または回路基板４０への挿入箇所を透視部５１を形成する特定領域としてもよい。
【００３６】
また透視部５１を形成する特定領域は、リード端子７４と回路基板４０との接続箇所に限らず、他の部品の接続箇所であってもよく、さらにはこの種の電気接続箇所に限らず、例えばフックやネジ等による部品の取り付け箇所や、回路基板４０の識別マーク等の対応箇所であってもよい。
【図面の簡単な説明】
【００３７】
【図１】本発明の一実施形態を示す表示装置の正面図。
【図２】図１のＡ−Ａ断面図。
【符号の説明】
【００３８】
１    透視パネル
１０  見返し板
２０  表示器
３０  ケース
４０  回路基板
４１  第１の面
４２  第２の面
４３  コネクタ
４３ａハウジング
４３ｂ 接続端子
４３ｃ 第１の挿入部
４４  第２の挿入部
５０  カバー
５１  透視部
６０  指針式計器
６１  表示板
６１ａ 地部
６１ｂ  指標部
６２  指針
６２ａ 指示部
６２ｂ指針カバー
６３  駆動源
６４  光源
７０  液晶表示器
７１  セル
７２  セルケース
７３  光源
７４  リード端子
７５  第１の接続部
７６  第２の接続部
【図１】
2009014391.tif 000003
【図２】
2009014391.tif 000004